(57)【要約】【課題】外径以上の穴を後方に穿孔でき、且つ手元操作によって穿孔径を選択可能なリバースドリルを提供する。【解決手段】インナーシャフト２の先端部に、中心軸に対して平行な偏心軸を持つブレード３用回転軸を構築し、本機全体が正回転することにより、ブレード３がアウターシャフト１の外径より僅かに突出した先端部の引っ掛かりによる摩擦と遠心力とによって開くものとする。インナーシャフト２に装着された扇形の断面を持つウェッジシャフト４の先端部は螺旋階段状の楔となっておりブレード３後部に段階的に挿入する目的であり、セレクトハンドル５の回転螺子送りをウェッジシャフト４の上下運動にシフトし、ウェッジシャフト４先端部とブレード３の接触面が変化することで、ブレード３の開閉幅を選択可能とすることを特徴とする。【選択図】図１
2015136589.tif 000002
【特許請求の範囲】
【請求項１】
螺旋階段状に扇形断面をもつ楔の大きさを変化させた楔ストッパーをブレード（刃）後部と格納壁の間に段階的に挿入することにより刃の開きを選択固定することでリバースドリリングを行うことを特徴とするリバースドリル。
【請求項２】
刃の先端部が収納段階で本機の外径より僅かに（０．１ミリ）突出しており、刃がインナーシャフトと並行な偏心軸を有することによって正回転した場合に突出部分が引っ掛かることにより、前記インナーシャフトの中心軸に直角に刃を大きく開くことができ、又遠心力も働き、セレクトされた位置まで開く。アウターシャフトは前記インナーシャフトとウェッジシャフトをホールド（保護）していることを特徴とするリバースドリル。
【発明の詳細な説明】
【技術分野】
【０００１】
本発明は、外径サイズで下穴が開いた状態から本機を刃を閉じた状態で回転せずに下穴を貫通させた後に正回転させながら手前に引くことで後方に５段階の大径穿孔を形成するためのリバースドリルである。
【背景技術】
【０００２】
従来から、様々な切削工具が存在する。中でも、骨穿孔用のドリルについては、低侵襲であること、体内の限られた空間で使用することなどの制約条件があるため、特別な機能を持たせる必要がある場合が多い。
【０００３】
例えば、特許文献１には、関節鏡視下の手術で、切削工具を回転させながら手前に引くことで、関節内部で大径の穿孔を形成する方法及びそのための切削工具が開示されている。
【先行技術文献】
【特許文献】
【０００４】
【特許文献１】特願２０１１−１７０６５３
【発明の概要】
【発明が解決しようとする課題】
【０００５】
しかしながら、上記従来技術では、一本の工具で一定の径の大きさの穿孔を作成するのみであり、穿孔の大きさを変更するには、その都度対応した工具を選ばなければならなかった。
【０００６】
本発明の目的は、上述の課題を解決する技術を提供することにある。
【課題を解決するための手段】
【０００７】
上記目的を達成するため、本発明（切削工具）に係る主な構成部品は、  
１、アウターシャフト  ２、インナーシャフト  ３、ブレード（刃）  ４、ウェッジシャフト(先端が螺旋階段状で扇形の断面を持つストッパー） ５、セレクトハンドル  ６、オーリング  の６部品からなる。
１、前記アウターシャフトは、外径に目盛を有し、前記ブレードの位置を確認し、前記インナーシャフトと前記ブレード及び前記ウエッジシャフトを保護する。
２、前記インナーシャフトは、本機の中心軸（ボデイ）であり前記ブレードを偏心軸を持って格納し前記ウェッジシャフトの摺動溝を有し後部近くにセレクト装置を装着し最後部の４０ミリほどをハンドピースで掴んで回転させる。
３、前記ブレードは、刃の先端部は収納段階で本機の外径より僅かに（０．１ミリ）突出しており、刃が偏心軸を有することによって正回転した場合に摩擦力及び遠心力が発生してセレクトされた位置まで開く。
４、前記ウェッジシャフトは、先端部の螺旋状楔を有し、後部の前記セレクトハンドルと連携。
５、前記セレクトハンドルは、Ａポジショニングボス、Ｂメジャー、Ｃセレクトノブ、Ｄトルクノブの４部品からなり、サイズを選択する。
６、オーリングは、前記ブレードの位置（穿孔の深さ）の確認。
前記インナーシャフト先端部に中心軸に対して偏心軸を持つブレード格納スペースを設け、前記ブレードの後尾に螺旋階段状の前記ウェッジシャフト（ストッパー）を配置し接触面の違いによって前記ブレードの５段階開閉位置を決定して正回転させて前記ブレード（刃）を遠心力及び摩擦力を利用して開き本機を手前に引くことで後方に大径穿孔を確保することと、穿孔する径の幅を前記セレクトハンドルの操作により選択できることを特徴とする。
【発明の効果】
【０００８】
本発明によれば、この工具一本で複数の径の穿孔形成を選択することができる。
【図面の簡単な説明】
【０００９】
【図１】本発明の全体構成を示す図である。
【図２】本発明の操作部構成を示す図である。
【図３】本発明の先端部構成（刃が閉じた状態）を示す図である。
【図４】本発明の先端部の構成（刃が段階的に開いている状態）を示す図である。
【図５】本発明の先端部の構成（刃の開きが最大の状態）を示す図である。
【図６】本発明のウェッジシャフト先端部、螺旋階段状の楔の形状を示す図である。
【符号の説明】
【００１０】
１  アウターシャフト
２  インナーシャフト
３  ブレード
４  ウェッジシャフト
５  セレクトハンドル
６  オーリング
Ａ  ポジショニングボス
Ｂ  メジャー
Ｃ  セレクトノブ
Ｄ  トルクノブ
【図１】
2015136589.tif 000003
【図２】
2015136589.tif 000004
【図３】
2015136589.tif 000005
【図４】
2015136589.tif 000006
【図５】
2015136589.tif 000007
【図６】
2015136589.tif 000008
【手続補正書】
【提出日】平成26年2月25日(2014.2.25)
【手続補正１】
【補正対象書類名】特許請求の範囲
【補正対象項目名】全文
【補正方法】変更
【補正の内容】
【特許請求の範囲】
【請求項１】
請求項１の全文を
筒状で先端にブレードの開閉窓を備えたアウターシャフトと、
前記アウターシャフトに挿入されたインナーシャフトと、
先端部が螺旋階段状になっているウェッジシャフトと、
本機中心軸と平行な偏心軸を有し遠心力と摩擦力とによって前記アウターシャフト先端の窓部より出没するブレードと、
螺子送り機構を備え、前記インナーシャフトに対して円周回転させることで、連動する前記ウェッジシャフトを上下に動かす機能を持つセレクトハンドルとからなり、
本機全体を回転させることによって前記ブレードが出没しようとする際、前記ブレード臀部と前記ウェッジシャフトの螺旋階段状先端部との接触面が前記ブレードの出没を制御する。
前記セレクトハンドルの操作（円周回転）によって連動している前記ウェッジシャフトが前記アウターシャフト内を上下に摺動することで前記ブレード臀部と前記螺旋階段状の先端部との接触面が段階的に変化し、その変化に対応して前記ブレードの出没が段階的に開放されることを特徴とするリバースドリル。
に変更します。
【請求項２】
請求項２を削除します。
【手続補正書】
【提出日】平成26年4月28日(2014.4.28)
【手続補正１】
【補正対象書類名】明細書
【補正対象項目名】００１０
【補正方法】変更
【補正の内容】
【００１０】
１  アウターシャフト
２  インナーシャフト
３  ブレード
４  ウェッジシャフト
５  セレクトハンドル
６  オーリング
A  ポジショニングボス
B  セレクトノブ
C  メジャー
D  トルクノブ
【手続補正２】
【補正対象書類名】特許請求の範囲
【補正対象項目名】全文
【補正方法】変更
【補正の内容】
【特許請求の範囲】
【請求項１】
筒状で先端にブレードの開閉窓を備えたアウターシャフトと、
前記アウターシャフトに挿入されたインナーシャフトと、
先端部が螺旋階段状になっているウェッジシャフトと、
本機中心軸と平行な偏心軸を有し遠心力と摩擦力とによって前記アウターシャフト先端の窓部より出没するブレードと、
セレクトハンドルと、を含み、
前記セレクトハンドルは連携している前記ウェッジシャフトを軸方向移動させる機能を有し、
前記セレクトハンドルの操作によって連携している前記ウェッジシャフトが前記アウターシャフト内を上下に摺動することで、前記ブレード後尾と前記螺旋階段状の先端部との接触面が段階的に変化し、その変化に対応して前記ブレードの出没が段階的に開放されることを特徴とするリバースドリル。